(57)【要約】【課題】  これまでに提案されていない新たな再生情報を再生情報記憶部に登録する再生情報登録装置を提供すること。【解決手段】  複数のコンテンツを記録するためのコンテンツ記憶部と、コンテンツ記憶部に記録されたコンテンツを再生する再生手段と、コンテンツ記憶部に記録されているコンテンツに対応付けて、コンテンツの再生日（又は日時）と、最近度とを記録するための再生情報記憶部と、コンテンツが再生されたとき、再生日（又は日時）を再生情報記憶部に登録する再生日登録手段と、現在日（又は日時）から特定間隔まで過去に遡った日（又は日時）から現在までに、再生情報記憶部にコンテンツの再生日（又は日時）が含まれている回数をカウントし、最近度として再生情報記憶部に登録する最近度登録手段とを備える。【選択図】図４
2010092510.tif 000002
【特許請求の範囲】
【請求項１】
複数のコンテンツを記録するためのコンテンツ記憶部と、
前記コンテンツ記憶部に記録されているコンテンツを再生する再生手段と、
前記コンテンツ記憶部に記録されているコンテンツに対応付けて、前記コンテンツの再生日（又は日時）と、最近度とを記録するための再生情報記憶部と、
前記コンテンツが再生されたとき、再生日（又は日時）を前記再生情報記憶部に登録する再生日登録手段と、
現在日（又は日時）から特定間隔まで過去に遡った日（又は日時）から現在までに、前記再生情報記憶部に前記コンテンツの再生日（又は日時）が含まれている回数をカウントし、前記最近度として前記再生情報記憶部に登録する最近度登録手段とを備える、再生情報登録装置。
【請求項２】
前記再生情報記憶部が、前記コンテンツが前記コンテンツ記憶部に記録された記録日（又は日時）をさらに記録可能であり、
前記各コンテンツに対して、現在日（又は日時）から前記記録日（又は日時）までの日数（又は時間）を、前記コンテンツの総再生回数で除算した値を平均再生間隔として算出する手段と、
全コンテンツの前記平均再生間隔の平均値である全コンテンツ平均再生間隔を算出する手段とをさらに備え、
前記最近度登録手段が、現在日（又は日時）から前記全コンテンツ平均再生間隔まで過去に遡った日（又は日時）から現在までに、前記再生情報記憶部に前記コンテンツの再生日（又は日時）が含まれている回数をカウントし、前記最近度として前記再生情報記憶部に登録する、請求項１に記載の再生情報登録装置。
【請求項３】
前記再生情報記憶部が、前記コンテンツが前記コンテンツ記憶部に記録された記録日（又は日時）、及び、集中度をさらに記録可能であり、
前記各コンテンツに対して、総再生回数を、最終再生日（又は日時）から前記記録日（又は日時）までの日数（又は時間）で除算することにより前記集中度を算出し、前記再生情報記憶部に登録する集中度登録手段をさらに備える、請求項１または２に記載の再生情報登録装置。
【請求項４】
前記最近度および前記集中度の少なくとも一方に基づいて前記コンテンツを選択するコンテンツ選択手段をさらに備える、請求項１〜３のいずれかに記載の再生情報登録装置。
【請求項５】
複数のコンテンツを記録するためのコンテンツ記憶部と、
前記コンテンツ記憶部に記録されているコンテンツを再生する再生手段と、
前記コンテンツ記憶部に記録されているコンテンツに対応付けて、総再生回数と、最終再生日（又は日時）と、前記コンテンツが前記コンテンツ記憶部に記録された記録日（又は日時）と、集中度とを記録するための再生情報記憶部と、
前記コンテンツが再生されたとき、前記再生情報記憶部における前記総再生回数と、前記最終再生日（又は日時）とを更新する更新手段と、
前記各コンテンツに対して、前記総再生回数を、前記最終再生日（又は日時）から前記記録日（又は日時）までの日数（又は時間）で除算することにより前記集中度を算出し、前記再生情報記憶部に登録する集中度登録手段とを備える、再生情報登録装置。
【請求項６】
請求項１〜５のいずれかに記載の再生情報登録装置の各手段をコンピュータに実行させる、再生情報登録プログラム。
【発明の詳細な説明】
【技術分野】
【０００１】
本発明は、コンテンツ記憶部に記録されたコンテンツについて、これまでにない新たな再生情報を再生情報記憶部に登録する再生情報登録装置およびそのプログラムに関する。
【背景技術】
【０００２】
近年、ＨＤＤ（Hard Disk Drive）を備え、ＨＤＤに記録されている複数のコンテンツ（例えば、曲データ等）の中から選択された曲データを再生するコンテンツ記録再生装置が普及してきている。このようなコンテンツ記録再生装置においては、ユーザ操作によって選択された曲リストに含まれる曲データを連続して再生することができる。また、曲データ毎に管理されている総再生回数、最終再生日（日時）、ＨＤＤへの記録日（日時）等の再生情報に基づいて曲リストを生成し、例えば、総再生回数の多い曲データから順に連続再生する再生処理などが提案されている。
【０００３】
しかし、従来から使用されている総再生回数、最終再生日（日時）、記録日（日時）等の再生情報のみに基づいて曲データを連続再生する場合、ユーザがある程度、曲リストに含まれる曲データや、連続再生される曲データの順番が予測できてしまい、面白みに欠けるという問題がある。従って、曲リストを生成する、及び／又は、曲データを連続再生する順番を決定する際に使用される、これまでに提案されていない新たな再生情報が要望されている。
【０００４】
【特許文献１】特開２００６−４８３１９号
【発明の開示】
【発明が解決しようとする課題】
【０００５】
本発明は上記従来の課題を解決するためになされたものであり、その目的は、これまでに提案されていない新たな再生情報を再生情報記憶部に登録する再生情報登録装置を提供することである。
【課題を解決するための手段】
【０００６】
本発明の好ましい実施形態による再生情報登録装置は、複数のコンテンツを記録するためのコンテンツ記憶部と、前記コンテンツ記憶部に記録されているコンテンツを再生する再生手段と、前記コンテンツ記憶部に記録されているコンテンツに対応付けて、前記コンテンツの再生日（又は日時）と、最近度とを記録するための再生情報記憶部と、前記コンテンツが再生されたとき、再生日（又は日時）を前記再生情報記憶部に登録する再生日登録手段と、現在日（又は日時）から特定間隔まで過去に遡った日（又は日時）から現在までに、前記再生情報記憶部に前記コンテンツの再生日（又は日時）が含まれている回数をカウントし、前記最近度として前記再生情報記憶部に登録する最近度登録手段とを備える。
【０００７】
最近度に基づいてコンテンツを選択することによって、例えば、最近コンテンツ記憶部に記録されたばかりで総再生回数が比較的少ないが、最近よく再生されているコンテンツを選択することができる。また、最近あまり再生されていないコンテンツを選択して再生することも可能である。
【０００８】
好ましい実施形態においては、前記再生情報記憶部が、前記コンテンツが前記コンテンツ記憶部に記録された記録日（又は日時）をさらに記録可能であり、前記各コンテンツに対して、現在日（又は日時）から前記記録日（又は日時）までの日数（又は時間）を、前記コンテンツの総再生回数で除算した値を平均再生間隔として算出する手段と、全コンテンツの前記平均再生間隔の平均値である全コンテンツ平均再生間隔を算出する手段とをさらに備え、前記最近度登録手段が、現在日（又は日時）から前記全コンテンツ平均再生間隔まで過去に遡った日（又は日時）から現在までに、前記再生情報記憶部に前記コンテンツの再生日（又は日時）が含まれている回数をカウントし、前記最近度として前記再生情報記憶部に登録する。
【０００９】
全コンテンツ平均再生間隔に基づいて最近度を算出することによって、全てのコンテンツがあまり再生されていない場合には全コンテンツ平均再生間隔が大きくなるので、最近度としてカウントされる回数が非常に少なくなることを防止できる。同様に、全てのコンテンツが頻繁に再生されていない場合には全コンテンツ平均再生間隔が小さくなるので、最近度としてカウントされる回数が非常に多くなることを防止できる。
【００１０】
好ましい実施形態においては、前記再生情報記憶部が、前記コンテンツが前記コンテンツ記憶部に記録された記録日（又は日時）、及び、集中度をさらに記録可能であり、前記各コンテンツに対して、総再生回数を、最終再生日（又は日時）から前記記録日（又は日時）までの日数（又は時間）で除算することにより前記集中度を算出し、前記再生情報記憶部に登録する集中度登録手段をさらに備える。
【００１１】
集中度に基づいてコンテンツを選択することによって、集中して再生されているコンテンツを選択することができる。
【００１２】
好ましい実施形態においては、前記最近度および前記集中度の少なくとも一方に基づいて前記コンテンツを選択するコンテンツ選択手段をさらに備える。
【００１３】
本発明の別の好ましい実施形態による再生情報登録装置は、複数のコンテンツを記録するためのコンテンツ記憶部と、前記コンテンツ記憶部に記録されているコンテンツを再生する再生手段と、前記コンテンツ記憶部に記録されているコンテンツに対応付けて、総再生回数と、最終再生日（又は日時）と、前記コンテンツが前記コンテンツ記憶部に記録された記録日（又は日時）と、集中度とを記録するための再生情報記憶部と、前記コンテンツが再生されたとき、前記再生情報記憶部における前記総再生回数と、前記最終再生日（又は日時）とを更新する更新手段と、前記各コンテンツに対して、前記総再生回数を、前記最終再生日（又は日時）から前記記録日（又は日時）までの日数（又は時間）で除算することにより前記集中度を算出し、前記再生情報記憶部に登録する集中度登録手段とを備える。
【００１４】
本発明の別の局面においては、上記いずれかの再生情報登録装置の各手段をコンピュータに実行させる再生情報登録プログラムが提供され得る。
【発明の効果】
【００１５】
最近度に基づいてコンテンツを選択することによって、例えば、最近コンテンツ記憶部に記録されたばかりで総再生回数が比較的少ないが、最近よく再生されているコンテンツを選択することができる。
【発明を実施するための最良の形態】
【００１６】
以下、本発明の好ましい実施形態について、図面を参照して具体的に説明するが、本発明はこれらの実施形態には限定されない。
【００１７】
図１は、本発明の好ましい実施形態による再生情報登録装置が適用されるコンテンツ記録再生装置１００の構成を示すブロック図である。コンテンツは、映像データ、曲（音楽）データ、又は、静止画データ等の総称であるが、本例では曲データの場合を例に説明する。コンテンツ記録再生装置１００は、ＨＤＤ（Hard Disk Drive）５に記録されている複数の曲データの中から選択された曲データを再生部６において再生し、図示しないスピーカーから音声を出力する。
【００１８】
コンテンツ記録再生装置１００は、システム制御部２、ＲＡＭ３、ＲＯＭ４、ＨＤＤ等のコンテンツ記憶部５、再生部６、操作部７、および表示部８を備える。これらは、バスを介して互いに接続されている。
【００１９】
ＨＤＤ５には複数のコンテンツ（曲データ）が記録されている。ＨＤＤ５に記録されている曲データは、システム制御部２の指示によって読み出され、再生部６によって再生される。
【００２０】
ＨＤＤ５には、コンテンツ情報データベース（以下、コンテンツ情報ＤＢという）が格納されている。コンテンツ情報ＤＢは、ＨＤＤ５に記録されている全コンテンツに関する属性情報及び再生情報を管理するデータベースである。コンテンツ情報ＤＢによって管理されている属性情報（メタデータ）及び再生情報は、連続再生する曲データが列挙されたコンテンツリスト（以下、曲リストという）を生成するため、及び／又は、連続再生する曲データの順番を決定するために使用される。
【００２１】
図２はコンテンツ情報ＤＢの一例を示す図である。属性情報は、曲名（タイトル）、アーティスト名、アルバム名、ジャンル名、曲の長さ等の曲データにとって固有かつ不変的な情報である。なお、図２の例では、簡単のため曲名のみを記載している。
【００２２】
一方、再生情報は、曲データの再生（又は記録）履歴に基づく情報であり、曲データが再生されるとき、及び／又は、日時が経過する毎に随時変化する情報である。再生情報は、記録日、総再生回数、再生日、最終再生日、集中度、および最近度を含む。記録日は、その曲データがＨＤＤ５に記録された日（年月日）である。なお、本例では簡単化のために日単位で説明するが、日の代わりに日時（日＋時刻）が使用されてもよい（以下の全ての再生情報について同様である）。総再生回数は、その曲データがこれまで再生された回数である。再生日は、その曲データがこれまでに再生された全ての日が記録される。最終再生日は、その曲データが最後に再生された日である。例えば、曲Ａの場合、再生日は再生日Ａ１〜再生日Ａ８であり、最終再生日は再生日Ａ８である。曲データが再生されたとき、総再生回数、再生日及び最終再生日がコンテンツ情報ＤＢに登録又は更新される。
【００２３】
集中度は、その曲データがどの程度集中的に再生されているかを示す情報であり、その曲データの総再生回数を、記録日〜最終再生日の期間で除算するとによって算出される。例えば、その曲の総再生回数が少なくても、記録日〜最終再生日の期間が短い場合には、集中度は大きくなる。つまり、最近、ＨＤＤ５に記録され、よく再生されている曲データは総再生回数が少なくても集中度が大きくなる。一方、その曲の総再生回数が多くても、記録日〜最終再生日の期間が長い場合、集中度は小さくなる。
【００２４】
最近度は、その曲データがどの程度最近よく再生されているかを示す情報であり、現在日から特定間隔（例えば、全曲平均再生間隔（後述））まで遡った期間内の再生回数によって算出される。現在日から全曲平均再生間隔まで遡った期間内の再生回数が多い場合に最近度が大きくなり、当該期間内の再生回数が少ない場合に最近度が小さくなる。なお、全曲平均再生間隔は、あまりどの曲データも再生されない場合に長くなり、頻繁に曲データが再生される場合に短くなるので、ユーザ毎の曲データの再生頻度に応じて、全曲平均再生間隔が変化し、適切な最近度を算出することができる。
【００２５】
図１に戻り、システム制御部２は、コンテンツ記録再生装置１００全体を制御するものであり、ＲＯＭ４またはＨＤＤ５に格納されたプログラムをＲＡＭ３内に読み出して実行することにより、後述する各処理を実行する。
【００２６】
システム制御部２は、曲データが選択されて再生された際に、再生された曲データの総再生回数、再生日及び最終再生日を更新する。システム制御部２は、曲データがＨＤＤ５に記録されたとき、コンテンツ情報ＤＢに属性情報及び記録日を登録する。また、システム制御部２は、所定期間毎に（例えば、１日１回所定の時刻、曲データが再生されるとき、又は、新たな曲データがＨＤＤ５に記録されたとき）、コンテンツ情報ＤＢの全曲データについて集中度および最近度を算出し、コンテンツ情報ＤＢを更新する。また、システム制御部２は、集中度及び／又は最近度に基づいて、連続再生すべき曲データが列挙された曲リストを生成する（つまり、再生すべき曲データを選択する）。例えば、システム制御部２は、集中度又は最近度が大きい順番に並べられた曲リストを生成する、又は、後述する図６に示すいずれかのエリアに含まれる曲データを含む曲リストを生成する。
【００２７】
操作部７は、ユーザからの指示を受け付けてシステム制御部２に送信するものであり、操作ボタンやリモコン等である。表示部８は、ＬＣＤ（液晶ディスプレイ）やＦＬ管等であり、システム制御部２の指示に基づいて、曲リストや、再生中の曲データの属性情報等を表示する。再生部６は、ＨＤＤ５から読み出された曲データを再生（例えば、デコード、Ｄ／Ａ変換等）する。
【００２８】
以上の構成を有するコンテンツ記録再生装置１００について、その動作を説明する。図３は、システム制御部２の集中度算出処理を示すフローチャートである。図４は、システム制御部２の最近度算出処理を示すフローチャートである。
【００２９】
まず、集中度算出処理を、図３を参照して説明する。システム制御部２は、コンテンツ情報ＤＢ内の全曲データについて集中度を算出する。システム制御部２は、曲データの総再生回数をコンテンツ情報ＤＢから取得する（Ｓ２０１）。次に、システム制御部２は、曲データの最終再生日をコンテンツ情報ＤＢから取得する（Ｓ２０２）。次に、システム制御部２は、曲データの記録日をコンテンツ情報ＤＢから取得する（Ｓ２０３）。そして、システム制御部２は、総再生回数を、「最終再生日−記録日」で除算することによって、曲データの集中度を算出する（Ｓ２０４）。例えば、総再生回数が５回で、「最終再生日−記録日」が１０日であれば、集中度は０．５になり、総再生回数が５回で、「最終再生日−記録日」が４０日であれば、集中度は０．１２５になる。つまり、総再生回数が同じであれば、「最終再生日−記録日」が短い方が集中度が大きくなる。
【００３０】
続いて、最近度算出処理を、図４を参照して説明する。システム制御部２は、現在日を取得する（Ｓ３０１）。システム制御部２は、内部に時計を有しているので、時計で管理している現在日を読み出す。システム制御部２は、Ｓ３０２〜Ｓ３０５の処理（すなわち、平均再生間隔の算出処理）をコンテンツ情報ＤＢ内の全曲データに関して実行する。まず、システム制御部２は、曲データの総再生回数をコンテンツ情報ＤＢから取得する（Ｓ３０２）。次に、システム制御部３０２は、曲データの記録日をコンテンツ情報ＤＢから取得する（Ｓ３０３）。
【００３１】
そして、システム制御部２は、曲データの平均再生間隔を、「現在日−記録日」（すなわち、曲データがＨＤＤ５に記録されている日数）を総再生回数で除算することによって算出する。平均再生間隔は、その曲データがどの程度の期間で１回再生されるかを示す値である。なお、総再生回数が０の場合には、その曲データの平均再生間隔は算出されない。平均再生間隔が大きい曲データはあまり再生されない曲データであり、平均再生間隔が小さい曲データは頻繁に再生される曲データである。例えば、「現在日−記録日」が５０日で総再生回数が２０回であれば平均再生間隔は２．５であり（つまり、２．５日に１回再生）、「現在日−記録日」が５０日で総再生回数が８０回であれば平均再生間隔は０．６２５である（つまり、０．６２５日に１回再生）。
【００３２】
システム制御部２は、コンテンツ情報ＤＢ内の全ての曲データについてＳ３０２〜Ｓ３０４の処理を実行したか否かを判断する（Ｓ３０５）。未だ全ての曲データについて処理が完了していなければ（Ｓ３０５でＮＯ）、システム制御部２は処理対象の曲データを次の曲データに更新し（Ｓ３０６）、Ｓ３０２に戻る。一方、全ての曲データについて処理が完了していれば（Ｓ３０５でＹＥＳ）、Ｓ３０７に進む。
【００３３】
システム制御２は、コンテンツ情報ＤＢ（すなわち、ＨＤＤ５）内の全曲データの平均再生間隔の平均値である全曲平均再生間隔を算出する（Ｓ３０７）。すなわち、コンテンツ情報ＤＢ内の全曲データの平均再生間隔を加算した値を、コンテンツ情報ＤＢ内の全曲データの曲数（詳細には、総再生回数が０であれば平均再生間隔が算出されないので、平均再生間隔が加算された曲データの曲数）で除算することによって、全曲平均再生間隔が算出される。全曲平均再生間隔は、ＨＤＤ５に記録されている全曲データを対象にした平均再生間隔であり、いずれかの曲データがどの程度の期間で１回再生されるかを示す値である。全曲平均再生間隔が大きい場合には曲データがあまり再生されないことを示し、全曲平均再生間隔が小さい場合には曲データが頻繁に再生されることを示す。
【００３４】
システム制御部２は、コンテンツ情報ＤＢ内の全曲データについて最近度を算出する（Ｓ３０８）。最近度は、現在日から全曲平均再生間隔だけ過去に遡った日から現在日までにおいて曲データが再生された回数をカウントすることによって求められる。詳細には、コンテンツ情報ＤＢにおいて、当該曲データの再生日を全て確認し、現在日から全曲平均再生間隔だけ過去に遡った日から現在日までに含まれる再生日の数をカウントし、その数が最近度とされる。最近度が大きいと最近よく再生されている曲であり、最近度が小さいと最近あまり再生されていない曲である。
【００３５】
なお、仮に、最近度の算出に各曲データ毎の平均再生間隔を使用すると、頻繁に再生される曲データは平均再生間隔が小さくなるので、現在日から平均再生間隔だけ過去に遡った日から現在までの再生回数が少なくなってしまい最近度が小さくなってしまう。逆に、頻繁に再生されない曲データは平均再生間隔が大きくなるので、現在日から平均再生間隔だけ過去に遡った日から現在までの再生回数が多くなってしまい最近度が大きくなってしまう。すなわち、正確な最近度が得られない可能性がある。
【００３６】
しかし、本例では最近度の算出に全曲平均再生間隔が使用され、全曲データについて同一間隔における再生回数をカウントし最近度としているので、的確な最近度を算出することができる。また、全曲データについてあまり曲データが再生されない場合には全曲平均再生間隔が大きくなるので、現在日から全曲平均再生間隔だけ過去に遡った日から現在日までに含まれる再生日の数が少なくなりすぎることはない（少なくなりすぎると、曲データ毎に最近度の差が出なくなるが、そのような問題を防止できる）。同様に、全曲データについて頻繁に曲データが再生される場合には全曲平均再生間隔が小さくなるので、現在日から全曲平均再生間隔だけ過去に遡った日から現在日までに含まれる再生日の数が多くなりすぎることはない（多くなりすぎると、曲データ毎に最近度の差が出なくなるが、そのような問題を防止できる）。
【００３７】
図５は、曲Ａ〜曲Ｅの５つの曲データについて、再生日と、記録日と、最終再生日と、全曲平均再生間隔との関係を示す図である。例えば、曲Ａは、ＨＤＤ５に記録された当初はよく再生されたが、最近は全く再生されていない。曲Ｂは、ＨＤＤ５に記録された当初は少し再生され、最近また少し再生されている。曲Ｃは、少し前までまばらに再生されていたが、最近は全く再生されていない。曲Ｄは、ＨＤＤ５に最近記録されたが、ほとんど再生されていない。曲Ｅは、ＨＤＤ５に記録され過去から現在に亘って定期的に再生されている。この場合、曲Ａの最近度は０、曲Ｂの最近度は３、曲Ｃの最近度は０、曲Ｄの最近度は１、曲Ｅの最近度は３である。
【００３８】
図６は、これらの５つの曲データについて、集中度および最近度をグラフにしたものであり、横軸は最近度を、縦軸は集中度を示している。例えば、４つのエリア１〜４に分割されている。エリア１は、最近及び過去共に頻繁に再生されている曲のエリア（集中度大、最近度大）である。エリア２は、過去はあまり再生されていなかったが、最近はよく再生されている曲のエリア（集中度小、最近度大）である。エリア３は、過去は頻繁に再生されていたが、最近はあまり再生されていない曲のエリア（集中度大、最近度小）である。エリア４は、過去および最近共にあまり再生されていない曲のエリア（集中度小、最近度小）である。
【００３９】
例えば、曲Ａは、過去は頻繁に再生されているが、最近は再生されていない（全曲平均再生間隔内の再生回数が０）ため、集中度が大きく、最近度が小さいので、エリア３に含まれる。
【００４０】
以上のように、各曲データをエリア１〜４にプロットすることにより、例えば、エリア１〜４から選択されたエリアに含まれている曲データを含む曲リストを生成することができる。
【００４１】
以上、本発明の好ましい実施形態を説明したが、本発明はこれらの実施形態には限定されない。日単位ではなく日時単位で集中度および最近度を算出する場合も上記のフローチャートによる処理説明を援用する。本発明は、上記のコンテンツ記録再生装置を動作させるためのコンピュータプログラムまたはそのコンピュータプログラムを記録した記録媒体という形態で提供されてもよい。
【産業上の利用可能性】
【００４２】
本発明はＨＤＤを備えるコンテンツ記録再生装置等に好適に適用され得る。
【図面の簡単な説明】
【００４３】
【図１】本発明の好ましい実施形態によるコンテンツ記録再生装置１００の構成を示すブロック図である。
【図２】コンテンツ情報ＤＢのデータ構造の一例を示す図である。
【図３】集中度算出処理を示すフローチャートである。
【図４】最近度算出処理を示すフローチャートである。
【図５】記録日、再生日、最終再生日及び全曲平均再生間隔の関係を示す図である。
【図６】集中度および最近度をプロットしたグラフである。
【符号の説明】
【００４４】
１００      コンテンツ記録再生装置
２          システム制御部
３          ＲＡＭ
４          ＲＯＭ
５          ＨＤＤ
６          再生部
７          操作部
８          表示部
【図１】
2010092510.tif 000003
【図２】
2010092510.tif 000004
【図３】
2010092510.tif 000005
【図４】
2010092510.tif 000006
【図６】
2010092510.tif 000007
【図５】
2010092510.tif 000008